(57)【要約】【課題】光トランシーバ内に供給される電力のピークを低減すること。【解決手段】光トランシーバ１は、ＬＤ６ａを駆動するＬＤドライバ８と、ＬＤ６ａの温度を制御するＴＥＣドライバ１０と、光信号を受信する受信回路４２と、ホスト装置から電力を受けてＬＤドライバ８に電力を供給するスロースタート回路３２と、ホスト装置から電力を受けてＴＥＣドライバ１０に電力を供給するスロースタート回路３１と、ホスト装置から電力を受けて受信回路４２に電力を供給するスロースタート回路３３とを備え、スロースタート回路３３の電力供給の開始が、スロースタート回路３１，３２の電力供給の開始に比較して遅い。【選択図】図１
2008312046.tif 000002
【特許請求の範囲】
【請求項１】
ホスト装置に活線挿抜が可能な光トランシーバであって、
レーザダイオードを駆動するレーザダイオード駆動回路と、
前記レーザダイオードの温度を制御する温度制御回路と、
光信号を受信する光受信回路と、
前記ホスト装置から電力を受けて前記レーザダイオード駆動回路に電力を供給する第１の電源回路と、
前記ホスト装置から電力を受けて前記温度制御回路に電力を供給する第２の電源回路と、
前記ホスト装置から電力を受けて前記光受信回路に電力を供給する第３の電源回路と
を備え、
前記第１〜第３の電源回路のうちの一の電源回路の電力供給の開始が、他の二つの電源回路の電力供給の開始に比較して遅い、ことを特徴とする光トランシーバ。
【請求項２】
前記他の二つの電源回路の何れか一方から電力供給を受けて起動し前記一の電源回路を制御する制御回路を更に備える、ことを特徴とする請求項１に記載の光トランシーバ。
【請求項３】
前記制御回路は、前記第１の電源回路から電力供給を受けて起動し、前記第１及び第２の電源回路の電力供給の開始に遅延して前記第３の電源回路の電力供給を開始する、ことを特徴とする請求項２に記載の光トランシーバ。
【請求項４】
前記制御回路は、前記レーザダイオードの温度をモニタし、前記レーザダイオードの温度が予め設定された基準温度範囲に至ったと判断した場合に、前記光受信回路に対する電力供給を前記第３の電源回路に開始させる、ことを特徴とする請求項３に記載の光トランシーバ。
【発明の詳細な説明】
【技術分野】
【０００１】
本発明は、光トランシーバに関する。
【背景技術】
【０００２】
従来、光信号を出射するレーザダイオードと、このレーザダイオードを所定の基準温度に安定させるためにレーザダイオードを加熱・冷却する熱電素子とを有する光トランシーバが広く用いられている。特許文献１には、複数の光モジュールを備える光伝送装置が開示されている。これらの光モジュールが起動開始すると、レーザダイオードの温度と基準温度との差が大きいほど熱電素子には大きな電流が流れる。特許文献１に記載の光伝送装置は、複数の光モジュールの熱電素子のそれぞれを所定時間ずつずらして順に駆動する。これにより、光伝送装置の起動開始に必要な電力のピークが低減される。
【特許文献１】特開２００６−０５４３１６号公報
【発明の開示】
【発明が解決しようとする課題】
【０００３】
しかし、個々の光モジュール内において消費される電力は変わらないので、光伝送装置内に消費される総電力は、個々の光モジュール内に供給される電力を下回って低減されることはない。そこで本発明の目的は、光トランシーバ内において消費される電力のピークを低減することである。
【課題を解決するための手段】
【０００４】
本発明は、ホスト装置に活線挿抜が可能な光トランシーバであって、レーザダイオードを駆動するレーザダイオード駆動回路と、前記レーザダイオードの温度を制御する温度制御回路と、光信号を受信する光受信回路と、前記ホスト装置から電力を受けて前記レーザダイオード駆動回路に電力を供給する第１の電源回路と、
前記ホスト装置から電力を受けて前記温度制御回路に電力を供給する第２の電源回路と、前記ホスト装置から電力を受けて前記光受信回路に電力を供給する第３の電源回路とを備え、前記第１〜第３の電源回路のうちの一の電源回路の電力供給の開始が、他の二つの電源回路の電力供給の開始に比較して遅い、ことを特徴とする。
【０００５】
光トランシーバの三つの電源回路のうち一の電源回路の電力供給タイミングが他の二つの電力供給タイミングに比較して遅いので、三つの電源回路が同タイミングで電力の供給を行う場合に比較して、光トランシーバ内に供給される電力のピークは低減される。
【０００６】
更に、本発明の光トランシーバでは、前記他の二つの電源回路の何れか一方から電力供給を受けて起動し前記一の電源回路を制御する制御回路を更に備えるのが好ましい。この制御回路は、他の二つの電源回路の電力供給の開始に遅延して（開始から遅らせて）一の電源回路の電力供給を開始するように、この一の電源回路を制御する。従って、上記一の電源回路の電力供給開始の遅延は、制御回路によって管理できる。
【０００７】
具体的には、前記制御回路は第１の電源回路から電力供給を受けて起動し、前記第１及び第２の電源回路の電力供給の開始に遅延して（開始から遅らせて）第３の電源回路の電力供給を開始する（開始するようにこの第３の電源回路を制御する）のが好ましい。
【０００８】
第２の電源回路は、光トランシーバの起動開始時には、レーザダイオードの温度を所定の温度範囲で安定させるために比較的大きな電力を供給する。これに対し、第３の電源回路は、レーザダイオードを含まない光受信回路に対して電力を供給するので、第３の電源回路の電力供給の開始を第１及び第２の電源回路の電力供給の開始より遅らせることによって、光トランシーバの起動開始時に光トランシーバ内に供給される電力のピークが、第３の電源回路により供給される電力だけ低減される。
【０００９】
更に、本発明では、前記制御回路は、前記レーザダイオードの温度をモニタして、（このモニタ結果に基づいて）前記レーザダイオードの温度が予め設定された基準温度範囲に至ったと判断した場合に、前記光受信回路に対する電力供給を前記第３の電源回路に開始させるのが好ましい。
【００１０】
このように、制御回路が、レーザダイオードの温度を表すサーミスタのモニタ結果に基づいて第３の電源回路の電力供給の開始を制御する。従って、レーザダイオードの温度が基準温度に一致するまでの間、第３の電源回路は電力供給を行わないので、この間において光トランシーバ内に供給される電力のピークが、第３の電源回路により供給される電力だけ低減される。
【発明の効果】
【００１１】
本発明によれば、光トランシーバ内において消費される電力のピークを低減できる。
【発明を実施するための最良の形態】
【００１２】
以下、図面を参照して、本発明に係る好適な実施形態について詳細に説明する。なお、図面の説明において、可能な場合には、同一要素には同一符号を付し、重複する説明を省略する。図１は、光トランシーバ１の構成を示す図である。光トランシーバ１は、ホスト装置（図示略）に対し活線挿抜が可能であり、コネクタ２と、スロースタート回路３１（第２の電源回路）、スロースタート回路３２（第１の電源回路）及びスロースタート回路３３（第３の電源回路）と、光信号を送信する送信回路４１と、光信号を受信する受信回路４２とを備える。
【００１３】
コネクタ２は、ホスト装置と通信を行ったりホスト装置からの電力を受けるための複数の端子（送信用電源端子２ａ、ＧＮＤ端子２ｂ、送信信号端子２ｃ、受信用電源端子２ｄ、ＧＮＤ端子２ｅ及び受信信号端子２ｆ）を有する。スロースタート回路３１及びスロースタート回路３２は、送信回路４１に電力を供給する回路であり、スロースタート回路３３は、受信回路４２に電力を供給する回路である。なお、後に詳述するが、スロースタート回路３１〜スロースタート回路３３のうちスロースタート回路３３の電力供給の開始が、スロースタート回路３１及びスロースタート回路３２の電力供給の開始に比較して遅い。
【００１４】
また、スロースタート回路３１，３２は、コネクタ２の送信用電源端子２ａに接続されており、この送信用電源端子２ａを介してホスト装置から電力の供給を受ける。スロースタート回路３３は、コネクタ２の受信用電源端子２ｄに接続されており、この受信用電源端子２ｄを介してホスト装置から電力の供給を受ける。
【００１５】
送信回路４１は、ＴＯＳＡ６（TOSA:Transmitter Optical Sub-Assembly）、ＬＤドライバ８（LD:Laser Diode）、ＴＥＣドライバ１０（TEC:Thermo Electric Cooler）、アンプ１２、ＤＡＣ１４（DAC:Digital Analog Converter）及びＣＰＵ１６を有する。ＴＥＣドライバ１０及びアンプ１２は、スロースタート回路３１の出力端子４ａに接続されており、スロースタート回路３１から電力が供給される。ＬＤドライバ８、ＤＡＣ１４及びＣＰＵ１６は、スロースタート回路３２の出力端子４ｂに接続されており、スロースタート回路３２から電力供給される。
【００１６】
ＴＯＳＡ６は、光ファイバが挿抜可能に接続され、この光ファイバ内に光信号を出射する。ＴＯＳＡ６は、ＬＤ６ａ、サーミスタ６ｂ及びＴＥＣ６ｃを有する。サーミスタ６ｂは、ＬＤ６ａの温度をモニタする。サーミスタ６ｂは、アンプ１２及びＣＰＵ１６に接続されている。ＴＥＣ６ｃは、ＬＤ６ａを加熱・冷却する熱電変換素子である。ＴＥＣ６ｃは、ＴＥＣドライバ１０に接続されている。
【００１７】
ＬＤドライバ８（レーザダイオード駆動回路）は、ＬＤ６ａに接続されている。ＬＤドライバ８は、ＬＤ６ａに駆動電流を供給してＬＤ６ａを駆動し、ＬＤ６ａの発光を制御する。ＬＤドライバ８は、コネクタ２の送信信号端子２ｃに接続されており、ホスト装置から送信信号端子２ｃを介して入力される信号（送信信号）に応じて、ＬＤ６ａに駆動電流を供給する。
【００１８】
ＴＥＣドライバ１０（温度制御回路）は、ＴＥＣ６ｃ及びアンプ１２に接続されており、アンプ１６から入力される信号に応じてＴＥＣ６ｃを駆動することによってＬＤ６ａの温度を制御する。アンプ１２は、サーミスタ６ｂ、ＴＥＣドライバ１０及びＤＡＣ１４に接続されている。アンプ１２は、サーミスタ６ｂによるＬＤ６ａ温度のモニタ結果（温度を表す抵抗値）を示す信号Ａ１と、ＣＰＵ１６からＤＡＣ１４を介して入力される予め設定された基準信号Ａ３とを用いて、ＴＥＣドライバ１０がＴＥＣ６ｃを制御するための信号（ＬＤ６ａの温度を、予め設定された所定の基準温度範囲に安定させるための制御信号）をＴＥＣドライバ１０に出力する。
【００１９】
ＣＰＵ１６（制御回路）は、サーミスタ６ｂ、ＤＡＣ１４及びスロースタート回路３３に接続されいる。ＣＰＵ１６は、スロースタート回路３２から電力供給を受けて起動した後（スロースタート回路３１及びスロースタート回路３２の電力供給の開始後）にスロースタート回路３３の電力供給を開始するようスロースタート回路３３を制御する。すなわち、ＣＰＵ１６は、スロースタート回路３２からの電力供給が安定し起動が完了すると、図４のフローチャートに示す処理を行う。
【００２０】
そして、ＣＰＵ１６は、ＬＤ６ａの温度のモニタ結果を示す信号Ａ１を用いてＬＤ６ａの温度をモニタし、このモニタ結果に基づいてＬＤ６ａの温度が予め設定された基準温度範囲に至ったと判断した場合に、電力供給の開始指示を示す信号Ａ２をスロースタート回路３３に出力し、受信回路４２に対する電力供給をスロースタート回路３３に開始させる。ＣＰＵ１６は、スロースタート回路３３に接続されたポート１６ａを有する。ポート１６ａは、ＣＰＵ１６の起動が完了するまでハイインピーダンスとなっている。
【００２１】
受信回路４２は、ＲＯＳＡ２０（ROSA:Receiving Optical Sub-Assembly）、リミティングアンプ２２、ＤＡＣ２４及びＤＣ／ＤＣコンバータ２６を有する。ＲＯＳＡ２０は、ＡＰＤ２０ａ（APD:Avalanche Photodiode）及びＴＩＡ２０ｂを含む。ＴＩＡ２０ｂ、リミティングアンプ２２及びＤＣ／ＤＣコンバータ２６は、スロースタート回路３３の出力端子４ｃに接続されており、スロースタート回路３３から電力が供給される。ＤＡＣ２４は、スロースタート回路３２の出力端子４ｂに接続されており、スロースタート回路３２から電力が供給される。
【００２２】
ＲＯＳＡ２０は、光ファイバが挿抜可能に接続され、この光ファイバからの光信号を受ける。ＡＰＤ２０ａは、ＴＩＡ２０ｂとＤＣ／ＤＣコンバータ２６とに接続されている。ＡＰＤ２０ａは、ＤＡＣ２４及びＤＣ／ＤＣコンバータ２６を介してＣＰＵ１６から入力される制御信号に基づいて動作する光検出素子である。ＡＰＤ２０ａは、ＲＯＳＡ２０に接続された光ファイバからの光信号を受けると、この光信号の強度に応じた電流信号をＴＩＡ２０ｂに出力する。
【００２３】
ＴＩＡ２０ｂは、ＡＰＤ２０ａとリミティングアンプ２２とに接続されているトランスインピーダンスアンプである。ＴＩＡ２０ｂは、ＡＰＤ２０ａからの電流信号を電圧信号に変換し、この電圧信号をリミティングアンプ２２に出力する。リミティングアンプ２２は、ＴＩＡ２０ｂとコネクタ２の受信信号端子２ｆとに接続されており、ＴＩＡ２０ｂから入力される電圧信号を増幅して受信信号端子２ｆに出力する。ＤＡＣ２４は、ＣＰＵ１６とＤＣ／ＤＣコンバータ２６とに接続されており、ＣＰＵ１６から入力されるデジタル信号をアナログ信号（直流の電気信号）に変換し、このアナログ信号をＤＣ／ＤＣコンバータ２６に出力する。ＤＣ／ＤＣコンバータ２６は、ＤＡＣ２４とＡＰＤ２０ａとに接続されており、ＤＡＣ２４から入力されるアナログ信号を他の所定レベルのアナログ信号に変換し、この変換後のアナログ信号をＡＰＤ２０ａに出力する。
【００２４】
次に、図２を参照してスロースタート回路３１の構成を説明する。なお、スロースタート回路３２の構成は、スロースタート回路３１と同様である。スロースタート回路３１は、コンデンサ３ａ、抵抗３ｂ及びｐ型ＭＯＳＦＥＴ３ｃを有する。コンデンサ３ａの一端は送信用電源端子２ａに接続されており、コンデンサ３ａの他端は抵抗３ｂの一端に接続されている。抵抗３ｂの他端は、接地されている。ｐ型ＭＯＳＦＥＴ３ｃのソース端子は送信用電源端子２ａに接続されており、ドレイン端子は出力端子４ａに接続されている。ｐ型ＭＯＳＦＥＴ３ｃのゲート端子は、コンデンサ３ａの一端（このコンデンサ３ａの一端は抵抗３ｂに接続されている）に接続されている。コンデンサ３ａと抵抗３ｂとは、微分回路を構成する。
【００２５】
光トランシーバ１のホスト装置への装着時に、送信用電源端子２ａからスロースタート回路３１にステップ状の電圧（急峻に立ち上がる電圧）が印加されると、この電圧の印加に応じてｐ型ＭＯＳＦＥＴ３ｃのゲート端子の電位とソース端子の電位とが共に急峻に立ち上がり、その後、ゲート端子の電位のみ減少する。このゲート端子の電位の減少に応じてｐ型ＭＯＳＦＥＴ３ｃのソース端子とドレイン端子との間の電流は増大していき、ｐ型ＭＯＳＦＥＴ３ｃがＯＮとなる。このように、急峻に立ち上がるような電圧がホスト装置から送信用電源端子２ａに印加されても、出力端子４ａの電位は比較的緩やかに立ち上がる。このため、スロースタート回路３１によって、従来の光トランシーバのホスト装置への装着時に光トランシーバ内で生じていた突入電流が回避される。
【００２６】
次に、図３を参照してスロースタート回路３３の構成を説明する。スロースタート回路３３は、抵抗３３ａ、抵抗３３ｂ、コンデンサ３３ｃ、ｎ型ＭＯＳＦＥＴ３３ｄ、抵抗３３ｅ及びｐ型ＭＯＳＦＥＴ３３ｆを有する。抵抗３３ａの一端はＣＰＵ１６のポート１６ａと抵抗３３ｂの一端とに接続されており、抵抗３３ａの他端は接地されている。抵抗３３ｂの他端はコンデンサ３３ｃの一端とｎ型ＭＯＳＦＥＴ３３ｄのゲート端子とに接続されており、コンデンサ３３ｃの他端は接地されている。ｎ型ＭＯＳＦＥＴ３３ｄのソース端子は接地されており、ドレイン端子は抵抗３３ｅの一端とｐ型ＭＯＳＦＥＴ３３ｆのゲート端子とに接続されている。抵抗３３ｅの他端は、受信用電源端子２ｄとｐ型ＭＯＳＦＥＴ３３ｆのソース端子とに接続されており、ｐ型ＭＯＳＦＥＴ３３ｆのドレイン端子は出力端子４ｃに接続されている。
【００２７】
抵抗３３ａは、ポート１６ａがハイインピーダンスの場合に、ｎ型ＭＯＳＦＥＴ３３ｄのゲート端子の電位をＬｏｗ（ｎ型ＭＯＳＦＥＴ３３ｄをＯＦＦ）に固定するためのプルダウン用の抵抗である。抵抗３３ｂ及びコンデンサ３３ｃは、積分回路を構成する。抵抗３３ｅは、ｎ型ＭＯＳＦＥＴ３３ｄがＯＦＦであってホスト装置からの電源電圧が受信用電源端子２ｄに印加されている場合に、ｐ型ＭＯＳＦＥＴ３３ｆのゲート端子の電位をＨｉｇｈ（ｐ型ＭＯＳＦＥＴ３３ｆをＯＦＦ）に固定するためのプルアップ用の抵抗である。
【００２８】
光トランシーバ１がホスト装置に装着され、受信用電源端子２ｄにホスト装置からの電圧が印加されている場合に、ＣＰＵ１６に対する供給電力の安定後にポート１６ａの電位がＨｉｇｈ（電力供給の開始指示を示す信号Ａ２がＣＰＵ１６から出力されたことを意味する）になると、ｎ型ＭＯＳＦＥＴ３３ｄのゲート端子の電位は比較的緩やかに立ち上がる。このｎ型ＭＯＳＦＥＴ３３ｄのゲート端子の電位の立ち上がりに応じてｎ型ＭＯＳＦＥＴ３３ｄのドレイン端子とソース端子との間の電流は増大していき、ｎ型ＭＯＳＦＥＴ３３ｄがＯＮとなる。ｐ型ＭＯＳＦＥＴ３３ｆのゲート端子の電位は、ｎ型ＭＯＳＦＥＴ３３ｄのドレイン端子とソース端子との間の電流の増大に応じて減少していく。このｐ型ＭＯＳＦＥＴ３３ｆのゲート端子の電位の減少に応じて、ｐ型ＭＯＳＦＥＴ３３ｆのソース端子とドレイン端子との間の電流は増大していき、ｐ型ＭＯＳＦＥＴ３３ｆはＯＮとなる。
【００２９】
このように、受信用電源端子２ｄからスロースタート回路３３に電圧が印加されている場合であっても、電力供給の開始指示を示す信号Ａ２がＣＰＵ１６からスロースタート回路３３に入力されるまで、スロースタート回路３３からの電力供給は行われない。光トランシーバ１がホスト装置に装着され、スロースタート回路３１及びスロースタート回路３２からの電力供給が安定した後に、電力供給の開始指示を示す信号Ａ２がＣＰＵ１６からスロースタート回路３３に入力されると、スロースタート回路３３からの電力供給が開始され、この電力供給が比較的緩やかに増加していく。
【００３０】
次に、図４を参照して、ＣＰＵ１６によるスロースタート回路３３の起動処理について説明する。ＣＰＵ１６は、スロースタート回路３２から電力供給を受けて起動した後（ステップＳ１）、予め設定された出力レベルの基準信号Ａ３をＤＡＣ１４を介してアンプ１２に出力する（ステップＳ２）。ステップＳ２の後、ＣＰＵ１６は、サーミスタ６ｂから出力されるＬＤ６ａ温度のモニタ結果（ＬＤ６ａ温度のモニタ結果を示す信号Ａ１）を参照し（ステップＳ３）、ＬＤ６ａの温度が安定していると判定した場合、すなわち、ＬＤ６ａの温度が予め設定された基準温度範囲内にあると判定した場合に（ステップＳ４；Ｙｅｓ）、電力供給の開始指示を示す信号Ａ２をスロースタート回路３３に出力する（ステップＳ５）。スロースタート回路３３は、この電力供給の開始指示を示す信号Ａ２を受信すると、電力供給を開始する。
【００３１】
なお、ＣＰＵ１６は、ステップＳ３の後、ＬＤ６ａの温度が上記の基準温度範囲内にないと判定した場合（ステップＳ４；Ｎｏ）、ステップＳ３に移行して、ＬＤ６ａの温度が上記の基準温度範囲内にあると判定するまでサーミスタ６ｂから出力されるＬＤ６ａ温度のモニタ結果の参照（ステップＳ３の処理）を続ける。
【００３２】
次に、図５及び図６を参照して、光トランシーバ１の動作を説明する。図５は、光トランシーバ１内の電位変化を示す図であり、図６は、光トランシーバ１内に供給される電流変化を示す図である。図６に示すグラフＬ１は、ホスト装置の電源から送信用電源端子２ａ及び受信用電源端子２ｄに印加される電圧を表している。グラフＬ２は、スロースタート回路３３から受信回路４２に供給される電流を表し、グラフＬ３は、スロースタート回路３２から送信回路４１に供給される電流を表し、グラフＬ４は、スロースタート回路３１から送信回路４１に供給される電流を表している。そして、グラフＬ５は、グラフＬ２〜グラフＬ４の各電流の合計を表している。
【００３３】
まず、光トランシーバ１がホスト装置に装着され、ホスト装置の電源から送信用電源端子２ａ及び受信用電源端子２ｄに電圧（グラフＬ１に示す電圧）が印加される（タイミングＴ１）。タイミングＴ１において、ｎ型ＭＯＳＦＥＴ３３ｄのゲート端子の電位はＬｏｗであり、ｐ型ＭＯＳＦＥＴ３３ｆのゲート端子の電位はＨｉｇｈとなるので、スロースタート回路３３の出力端子４ｃの電位はＬｏｗである（スロースタート回路３３から電力供給は行われてない）。
【００３４】
これに対し、スロースタート回路３１及びスロースタート回路３２から出力される電流（グラフＬ３及びグラフＬ４にそれぞれ示す電流）は、このタイミングＴ１から増加していく。図６に示すように、スロースタート回路３１から供給される電流（グラフＬ４に示す電流）はスロースタート回路３２から供給される電流（グラフＬ３に示す電流）に比較して大きい。これは、ＬＤ６ａの温度が予め設定された基準温度範囲で安定するまで（タイミングＴ３に至るまで）、スロースタート回路３２から電力供給されるＴＥＣドライバ１０やアンプ１２が比較的多くの電力を消費するからである。
【００３５】
タイミングＴ１の後、スロースタート回路３２から供給される電流（グラフＬ３に示す電流）が所定値（１００ｍＡ程度）に安定すると、スロースタート回路３２から電力の供給を受けるＣＰＵ１６は正常な（設計通りの）動作を開始する（タイミングＴ２）。ＣＰＵ１６のポート１６ａの電位は、タイミングＴ２の後にＬｏｗに低減され、タイミングＴ３に至るまでＬｏｗに保持される。
【００３６】
タイミングＴ２の後、ＬＤ６ａの温度が予め設定された基準温度範囲に安定することによりスロースタート回路３１から供給される電流（グラフＬ４に示す電流）が所定値（１００ｍＡ程度）に安定すると、ＣＰＵ１６のポート１６ａの電位はＨｉｇｈとなる（タイミングＴ３）。この時のポート１６ａの電位変化（ＬｏｗからＨｉｇｈへの変化）は電力供給の開始指示を示す信号Ａ２の出力に対応する。なお、図４に示すステップＳ１〜ステップＳ４の処理は、タイミングＴ２の後にＣＰＵ１６が正常動作を開始してから行われ、図４に示すステップＳ５の処理は、タイミングＴ３において行われる。
【００３７】
タイミングＴ３の後、ｎ型ＭＯＳＦＥＴ３３ｄのゲート端子の電位は、ポート１６ａの電位変化（ＬｏｗからＨｉｇｈへの変化）に応じてＬｏｗからＨｉｇｈに比較的緩やかに増加する。ｐ型ＭＯＳＦＥＴ３３ｆのゲート端子の電位は、ｎ型ＭＯＳＦＥＴ３３ｄのゲート端子の電位の増加に伴ってＨｉｇｈからＬｏｗに比較的緩やかに減少する。スロースタート回路３３の出力端子４ｃの電位は、ｐ型ＭＯＳＦＥＴ３３ｆのゲート端子の電位の減少に伴ってＬｏｗからＨｉｇｈに比較的緩やかに増加する。そして、スロースタート回路３３から受信回路４２に供給される電流（グラフＬ２に示す電流）は、出力端子４ｃの電位の増加に伴って比較的緩やかに増加する。
【００３８】
タイミングＴ３の後、ｎ型ＭＯＳＦＥＴ３３ｄのゲート端子の電位がＨｉｇｈに安定し、ｐ型ＭＯＳＦＥＴ３３ｆのゲート端子の電位がＬｏｗに安定し、そして、出力端子４ｃの電位がＨｉｇｈに安定すると（タイミングＴ４）、スロースタート回路３３から受信回路４２に供給される電流（グラフＬ２に示す電流）が所定値（１００ｍＡ程度）に安定する。このようにして、スロースタート回路３３からの電力供給がタイミングＴ３の後に開始され、更に、タイミングＴ４の後にスロースタート回路３３からの電力供給は安定する。
【００３９】
以上説明したように、スロースタート回路３３が受信回路４２に電力供給を開始するタイミングと、スロースタート回路３１及びスロースタート回路３２が送信回路４１に電力供給を開始するタイミングとは異なっている。スロースタート回路３３が受信回路４２に電力供給を開始するタイミングは、スロースタート回路３１及びスロースタート回路３２が送信回路４１に電力供給を開始するタイミングよりも遅く、スロースタート回路３１及びスロースタート回路３２から送信回路４１に供給する電流が所定値（１００ｍＡ程度）に安定した後（ＬＤ６ａの温度が予め設定された基準温度範囲に安定した後）である。
【００４０】
従来の光トランシーバでは、光トランシーバがホスト装置に装着されると、送信回路に電力を供給するスロースタート回路（スロースタート回路３１及びスロースタート回路３２に対応）と、受信回路に電力を供給するスロースタート回路（スロースタート回路３３に対応）とによる電力供給が一度に開始される。これにより、これら全てのスロースタート回路から供給される電流が、光トランシーバがホスト装置に装着され、光トランシーバの起動が開始されるタイミングＴ１の後に一度に増加し、ピークとなる。これに対し、実施形態に係る光トランシーバ１は、受信回路４２に電力を供給するスロースタート回路３３の電力の供給タイミングを、送信回路４１に電力を供給するスロースタート回路３１及びスロースタート回路３２の電力の供給タイミングよりも遅らせているので、上記従来の光トランシーバに比較して、実施形態に係る光トランシーバ１のホスト装置への装着時（すなわち、光トランシーバ１の起動開始時）に光トランシーバ１内に供給される電力のピークが低減できる。
【００４１】
以上、好適な実施の形態において本発明の原理を図示し説明してきたが、本発明は、そのような原理から逸脱することなく配置および詳細において変更され得ることは、当業者によって認識される。本発明は、本実施の形態に開示された特定の構成に限定されるものではない。したがって、特許請求の範囲およびその精神の範囲から来る全ての修正および変更に権利を請求する。
【図面の簡単な説明】
【００４２】
【図１】実施形態に係る光トランシーバの構成を示す図である。
【図２】実施形態に係るスロースタート回路の構成を示す図である。
【図３】実施形態に係るスロースタート回路の構成を示す図である。
【図４】実施形態に係るスロースタート回路の起動処理を説明するための図である。
【図５】実施形態に係る光トランシーバ内に電位変化を示す図である。
【図６】実施形態に係る光トランシーバ内に供給される電流変化を示す図である。
【符号の説明】
【００４３】
１…光トランシーバ、１０…ＴＥＣドライバ、１２…アンプ、１４，２４…ＤＡＣ、１６…ＣＰＵ、１６ａ…ポート、２…コネクタ、２ａ…送信用電源端子、２ｂ…ＧＮＤ端子、２ｃ…送信信号端子、２ｄ…受信用電源端子、２ｅ…ＧＮＤ端子、２ｆ…受信信号端子、２０…ＲＯＳＡ、２０ａ…ＡＰＤ、２０ｂ…ＴＩＡ、２２…リミティングアンプ、２６…ＤＣ／ＤＣコンバータ、３ａ，３３ｃ…コンデンサ、３ｂ，３３ａ，３３ｂ，３３ｅ…抵抗、３ｃ…ｐ型ＭＯＳＦＥＴ、３１，３２，３３…スロースタート回路、３３ｄ…ｎ型ＭＯＳＦＥＴ、３３ｆ…ｐ型ＭＯＳＦＥＴ、４ａ，４ｂ，４ｃ…出力端子、４１…送信回路、４２…受信回路、６…ＴＯＳＡ、６ａ…ＬＤ、６ｂ…サーミスタ、６ｃ…ＴＥＣ、８…ＬＤドライバ
【図１】
2008312046.tif 000003
【図２】
2008312046.tif 000004
【図３】
2008312046.tif 000005
【図４】
2008312046.tif 000006
【図５】
2008312046.tif 000007
【図６】
2008312046.tif 000008